(57)【要約】【課題】ベースプレートの移動の抑制と、基礎コンクリートのコーン状破壊の抑制と、を両立可能な露出型柱脚構造及びその製造方法を提供する。【解決手段】露出型柱脚構造１は、柱材３１の下端に固定され、上面３３ａと下面３３ｂとの間で貫通する内側貫通孔３５及び外側貫通孔３７が形成されたベースプレート３３を備えている。内側アンカーボルト２７は、ベースプレート３３に対して固定されている。外側貫通孔３７の内側面と外側アンカーボルト２９との間に、グラウトが設けられない空隙３９が形成されている。【選択図】図２
2019124064.tif 000002
【特許請求の範囲】
【請求項１】
建築物を支持する露出型柱脚構造であって、
基礎コンクリートと、内側アンカーボルトと、前記内側アンカーボルトよりも前記建築物の外方に設けられる外側アンカーボルトと、を有し、前記内側アンカーボルト及び前記外側アンカーボルトは、下部が前記基礎コンクリートに埋設され、上部が前記基礎コンクリートの上面から突出している、柱型と、
鉛直方向に延びる柱材と、
前記柱材の下端に固定され、上面と下面との間で貫通する内側貫通孔及び外側貫通孔が形成されたベースプレートであって、前記内側アンカーボルトの上部が前記内側貫通孔に挿通し、前記外側アンカーボルトの上部が前記外側貫通孔に挿通することで、前記内側アンカーボルト及び前記外側アンカーボルトの上部に対して固定されるベースプレートと、
前記基礎コンクリートの上面と前記ベースプレートの下面との間の空間に設けられるグラウトと、を備え、
前記内側アンカーボルトは、前記ベースプレートに対して固定され、
前記外側貫通孔の内側面と前記外側アンカーボルトとの間に、グラウトが設けられない空隙が形成されている、露出型柱脚構造。
【請求項２】
前記内側貫通孔の内側面と前記内側アンカーボルトとの間にグラウトが設けられている、請求項１に記載の露出型柱脚構造。
【請求項３】
前記外側貫通孔の周辺に、未固化のグラウトの前記外側貫通孔への流入を規制する流入規制部材が配置されている、請求項１又は２に記載の露出型柱脚構造。
【請求項４】
前記流入規制部材は、前記ベースプレートの下方に配置される遮蔽板を有し、
前記遮蔽板は、前記外側貫通孔を遮蔽している、請求項３に記載の露出型柱脚構造。
【請求項５】
前記流入規制部材は、前記遮蔽板を前記ベースプレートの下面に圧接させる圧接部材を有している、請求項４に記載の露出型柱脚構造。
【請求項６】
前記遮蔽板は、前記外側アンカーボルトを挿通させる遮蔽板貫通孔が形成され、
前記遮蔽板貫通孔の内部に、グラウトの通過を規制する一方で空気の通過を許可する通気部を有している、請求項４又は５に記載の露出型柱脚構造。
【請求項７】
前記流入規制部材は、可撓性を有し、前記空隙に配置されている、請求項３に記載の露出型柱脚構造。
【請求項８】
前記流入規制部材は、前記ベースプレートの上面に配置される座金を有し、
前記座金は、前記外側アンカーボルトを挿通させる座金貫通孔と、前記外側貫通孔の周辺を遮蔽して通気を規制する通気規制部と、が形成されている、請求項３に記載の露出型柱脚構造。
【請求項９】
建築物を支持する露出型柱脚構造の製造方法あって、
基礎コンクリートと、内側アンカーボルトと、前記内側アンカーボルトよりも前記建築物の外方に設けられる外側アンカーボルトと、を有し、前記内側アンカーボルト及び前記外側アンカーボルトは、下部が前記基礎コンクリートに埋設され、上部が前記基礎コンクリートの上面から突出している、柱型の上面に、スペーサを配置するスペーサ配置工程と、
下端にベースプレートが固定された柱材を前記柱型の上方に配置し、前記ベースプレートに形成された内側貫通孔に前記内側アンカーボルトの上部を挿通させるとともに、前記ベースプレートに形成された外側貫通孔に前記外側アンカーボルトの上部を挿通させ、前記ベースプレートの下面と前記スペーサの上面とを当接させる立設工程と、
前記内側アンカーボルトの上部及び前記外側アンカーボルトのそれぞれにボルトを締結することにより、前記ベースプレートを固定する固定工程と、
前記基礎コンクリートの上面と前記ベースプレートの下面との間の空間に未固化のグラウトを充填する充填工程と、を有し、
前記充填工程に先駆けて、未固化のグラウトの前記外側貫通孔への流入を規制する流入規制部材を前記外側貫通孔の周辺に配置する規制部材配置工程を有している、露出型柱脚構造の製造方法。
【発明の詳細な説明】
【技術分野】
【０００１】
本発明は、建築物を支持する露出型柱脚構造及びその製造方法に関する。
【背景技術】
【０００２】
建築物を支持する柱脚構造は、柱型と、柱材と、を備えている。柱型は主にコンクリートにより形成され、その内部に複数の鉄筋が埋設されている。露出型柱脚構造では、アンカーボルトが、下部が基礎コンクリートに埋設され、上部が基礎コンクリートの上面から突出している。柱材は、ベースプレートを介してアンカーボルトに対して固定されることにより、柱型の上方に立設される。
【０００３】
特許文献１には、ベースプレートに形成された貫通孔の内側面と、当該貫通孔に挿通されるアンカーボルトとの間に、グラウトが充填される露出型柱脚構造が記載されている。この構成では、充填されたグラウトの全ての面を拘束することにより、基礎コンクリートに対するベースプレートの移動を抑制できるとされている。
【先行技術文献】
【特許文献】
【０００４】
【特許文献１】特開２００８−１３９１２号公報
【発明の概要】
【発明が解決しようとする課題】
【０００５】
特許文献１記載の露出型柱脚構造では、地震等により建築物が加振されると、ベースプレートから、貫通孔に充填されたグラウトを介して、アンカーボルトに水平方向の外力が作用し、基礎コンクリート内で応力が発生する。この応力が過大な場合、アンカーボルトが著しく変形し、アンカーボルトの周囲のコンクリートが押し出され、基礎コンクリートの一側面が割裂しうる。このとき、アンカーボルトの周囲のコンクリート破断面は略円錐形状を呈することが多く、このような基礎コンクリートの破壊は「コーン状破壊」とも称される。コーン状破壊は、外力が作用する方向において前方に、コンクリートの押し出しに抵抗する部位が少ないアンカーボルトの周囲で、特に発生し易い。
【０００６】
特許文献１記載の露出柱脚構造は、貫通孔に充填されたグラウトによりベースプレートの移動を抑制するものの、過大な外力に対するコーン状破壊の抑制については更なる向上が求められていた。
【０００７】
本発明はこのような課題に鑑みてなされたものであり、ベースプレートの移動の抑制と、基礎コンクリートのコーン状破壊の抑制と、を両立可能な露出型柱脚構造及びその製造方法を提供することを目的とする。
【課題を解決するための手段】
【０００８】
上記課題を解決するために、本発明に係る露出型柱脚構造は、基礎コンクリートと、内側アンカーボルトと、内側アンカーボルトよりも建築物の外方に設けられる外側アンカーボルトと、を有し、内側アンカーボルト及び外側アンカーボルトは、下部が基礎コンクリートに埋設され、上部が基礎コンクリートの上面から突出している、柱型と、鉛直方向に延びる柱材と、柱材の下端に固定され、上面と下面との間で貫通する内側貫通孔及び外側貫通孔が形成されたベースプレートであって、内側アンカーボルトの上部が内側貫通孔に挿通し、外側アンカーボルトの上部が外側貫通孔に挿通することで、内側アンカーボルト及び外側アンカーボルトの上部に対して固定されるベースプレートと、基礎コンクリートの上面とベースプレートの下面との間の空間に設けられるグラウトと、を備える。内側アンカーボルトは、ベースプレートに対して固定される。外側貫通孔の内側面と外側アンカーボルトとの間に、グラウトが設けられない空隙が形成されている。
【０００９】
この構成によれば、地震等により建築物が加振されると、柱材から、ベースプレートを介して、内側アンカーボルトに外力が作用する。ベースプレートが内側アンカーボルトから反力を受けることより、ベースプレートの移動が抑制される。
【００１０】
一方、外側貫通孔の内側面と外側アンカーボルトとの間には、グラウトが設けられない空隙が形成されている。このため、ベースプレートが所定量移動して外側貫通孔の内側面と外側アンカーボルトが当接するまで、外側アンカーボルトへの外力の作用が抑制される。この結果、基礎コンクリートのコーン状破壊を抑制することができる。
【００１１】
内側貫通孔の内側面と内側アンカーボルトとの間にグラウトが設けられていてもよい。
【００１２】
この構成によれば、基礎コンクリートの上面とベースプレートの下面との間の空間にグラウトを設ける際に、当該グラウトを内側貫通孔の内側面と内側アンカーボルトとの間に流入させることができる。つまり、基礎コンクリートの上面とベースプレートの下面との間の空間へのグラウトの配置と、ベースプレートに対する内側アンカーボルトの固定と、を同一工程で行うことが可能になる。
【００１３】
外側貫通孔の周辺に、未固化のグラウトの外側貫通孔への流入を規制する流入規制部材が配置されていてもよい。
【００１４】
この構成によれば、基礎コンクリートの上面とベースプレートの下面との間の空間に未固化のグラウトを注入する際に、外側貫通孔の内側面と外側アンカーボルトとの間へのグラウトの流入を流入規制部材により規制することができる。この結果、空隙を確実に形成することが可能になる。
【００１５】
流入規制部材は、ベースプレートの下方に配置される遮蔽板を有し、遮蔽板は、外側貫通孔を遮蔽していてもよい。
【００１６】
この構成によれば、外側貫通孔の内側面と外側アンカーボルトとの間へのグラウトの流入を遮蔽板により規制することができる。この結果、空隙を確実に形成することができる。
【００１７】
流入規制部材は、遮蔽板を前記ベースプレートの下面に圧接させる圧接部材を有していてもよい。
【００１８】
この構成によれば、外部貫通孔を遮蔽板により確実に遮蔽し、外側貫通孔の内側面と外側アンカーボルトとの間へのグラウトの流入を規制することができる。この結果、空隙を確実に形成することができる。
【００１９】
遮蔽板は、外側アンカーボルトを挿通させる遮蔽板貫通孔が形成され、遮蔽板貫通孔の内部に、グラウトの通過を規制する一方で空気の通過を許可する通気部を有していてもよい。
【００２０】
この構成によれば、基礎コンクリートの上面とベースプレートの下面との間の空間に未固化のグラウトを注入する際に、当該空間から通気部を介して空気を排出することができる。この結果、当該空間へのグラウトの充填を妨げることなく、空隙を形成することができる。
【００２１】
流入規制部材は、可撓性を有し、空隙に配置されていてもよい。
【００２２】
この構成によれば、外側貫通孔の内側面と外側アンカーボルトとの間へのグラウトの流入を、そこに配置した流入規制部材により、確実に規制することができる。流入規制部材は、可撓性に加えて通気性を有することが好ましい。これにより、基礎コンクリートの上面とベースプレートの下面との間の空間に未固化のグラウトを注入する際に、当該空間から流入規制部材を介して空気を排出することができる。この結果、当該空間へのグラウトの充填を妨げることなく、空隙を形成することができる。
【００２３】
また、ベースプレートが移動した際に、流入規制部材が撓むことにより、外側アンカーボルトへの外力の作用が抑制される。この結果、基礎コンクリートのコーン状破壊を抑制することができる。
【００２４】
流入規制部材は、ベースプレートの上面に配置される座金を有し、座金は、外側アンカーボルトを挿通させる座金貫通孔と、外側貫通孔の周辺を遮蔽して通気を規制する通気規制部と、が形成されていてもよい。
【００２５】
この構成によれば、座金と、ベースプレートの上面との間に形成される空間に空気が滞留する。外側貫通孔の上方における空気が滞留することにより、外側貫通孔を介した空気の排出が規制される。このような規制を適切に行うことにより、基礎コンクリートの上面とベースプレートの下面との間の空間に未固化のグラウトを注入する際に、外側貫通孔の内側面と外側アンカーボルトとの間へのグラウトの流入を規制することができる。この結果、空隙を確実に形成することが可能になる。
【００２６】
上記課題を解決するために、本発明に係る露出型柱脚構造の製造方法は、基礎コンクリートと、内側アンカーボルトと、内側アンカーボルトよりも建築物の外方に設けられる外側アンカーボルトと、を有し、内側アンカーボルト及び外側アンカーボルトは、下部が基礎コンクリートに埋設され、上部が基礎コンクリートの上面から突出している、柱型の上面に、スペーサを配置するスペーサ配置工程と、下端にベースプレートが固定された柱材を柱型の上方に配置し、ベースプレートに形成された内側貫通孔に内側アンカーボルトの上部を挿通させるとともに、ベースプレートに形成された外側貫通孔に外側アンカーボルトの上部を挿通させ、ベースプレートの下面とスペーサの上面とを当接させる立設工程と、内側アンカーボルトの上部及び外側アンカーボルトのそれぞれにボルトを締結することにより、ベースプレートを固定する固定工程と、基礎コンクリートの上面とベースプレートの下面との間の空間に未固化のグラウトを充填する充填工程と、を有する。充填工程に先駆けて、未固化のグラウトの外側貫通孔への流入を規制する流入規制部材を外側貫通孔の周辺に配置する規制部材配置工程を有している。
【００２７】
この製造方法によれば、充填工程において、基礎コンクリートの上面とベースプレートの下面との間の空間に未固化のグラウトを注入して充填する際に、外側貫通孔の内側面と外側アンカーボルトとの間へのグラウトの流入を流入規制部材により規制することができる。この結果、外側貫通孔の内側面と外側アンカーボルトとの間に空隙を確実に形成することが可能になる。
【発明の効果】
【００２８】
本発明によれば、ベースプレートの移動の抑制と、基礎コンクリートのコーン状破壊の抑制と、を両立可能な露出型柱脚構造及びその製造方法を提供することができる。
【図面の簡単な説明】
【００２９】
【図１】実施形態に係る露出型柱脚構造を示す斜視図である。
【図２】図１の露出型柱脚構造を示す側面図である。
【図３】図２のＩＩＩ−ＩＩＩ断面を示す断面図である。
【図４】図２のＩＶ−ＩＶ断面を示す断面図である。
【図５】図２の座金を示す斜視図である。
【図６】図２の流入規制部材を示す平面図及び断面図である。
【図７】図１の露出型柱脚構造の製造工程を示す説明図である。
【図８】図１の露出型柱脚構造の製造工程を示す説明図である。
【図９】図１の露出型柱脚構造を示す側面図である。
【図１０】他の実施形態に係る流入規制部材を示す斜視図である。
【図１１】他の実施形態に係る流入規制部材を備えた露出型柱脚構造を示す側面図である。
【図１２】他の実施形態に係る流入規制部材を示す斜視図である。
【図１３】図１２の流入規制部材を備えた露出型柱脚構造を示す側面図である。
【発明を実施するための形態】
【００３０】
以下、添付図面を参照しながら実施形態について説明する。説明の理解を容易にするため、各図面において同一の構成要素に対しては可能な限り同一の符号を付して、重複する説明は省略する。
【００３１】
まず、図１を参照しながら、実施形態に係る露出型柱脚構造１（以下「柱脚構造１」ともいう。）の概要について説明する。図１は、柱脚構造１を示す斜視図であり、建築物に複数設けられる柱脚構造１のうち、当該建築物の外壁近傍に相当する部位を示している。換言すれば、後述する柱材３１は、「隅柱」や「側柱」と称される柱に相当する。
【００３２】
柱脚構造１は、建築物の下部に設けられ、当該建築物の支持に用いられる構造体であり、戸建や集合住宅、商業ビル等、種々の建築物に適用し得る。柱脚構造１は、柱型２と、柱材３１と、ベースプレート３３と、を備えている。
【００３３】
柱型２は、柱脚構造１の下部に配置される。柱型２の下部は、基礎コンクリート２１により構成されている。基礎コンクリート２１は、流動性を有するコンクリートを不図示の型枠内に注入し、固化させることにより形成されている。後述するように、基礎コンクリート２１内には複数の鉄筋が埋設されている。基礎コンクリート２１の上面２１ａからは、内側アンカーボルト２７及び外側アンカーボルト２９が２本ずつ突出し、鉛直方向に延びている。基礎コンクリート２１は、少なくともその一部が地中に埋設されている。
【００３４】
柱材３１は鋼材であり、建築物の一部を構成している。ベースプレート３３は、柱材３１の下端に溶接されている。ベースプレート３３は、平面視で略正方形を呈し、所定の厚みを有する板形状の部材である。後述するように、ベースプレート３３は、内側貫通孔３５及び外側貫通孔３７（図２参照）がそれぞれ２つずつ形成されている。
【００３５】
柱脚構造１は、柱材３１を柱型２に対して固定することにより構成される。詳細には、柱材３１を鉛直方向に延びるように配置し、内側アンカーボルト２７をベースプレート３３の内側貫通孔３５に挿通させ、外側アンカーボルト２９をベースプレート３３の内側貫通孔３５に挿通させる。これにより、ベースプレート３３の上面３３ａから、内側アンカーボルト２７及び外側アンカーボルト２９が突出する。
【００３６】
基礎コンクリート２１の上面２１ａと、ベースプレート３３の下面３３ｂとの間には、グラウト４が設けられる。基礎コンクリート２１の上面２１ａに不陸があった場合でも、グラウト４を設けて平坦な面を形成し、当該グラウト４にベースプレート３３を載置することにより、柱材３１をより正確に鉛直方向に延びるように配置することが可能になる。
【００３７】
ベースプレート３３の上面３３ａには、内側アンカーボルト２７及び外側アンカーボルト２９を挿通させて座金５ａ，５ｂが配置される。さらに、内側アンカーボルト２７及び外側アンカーボルト２９に、ナット９１を螺合させることにより、ナット９１が座金５ａ，５ｂを介してベースプレート３３を柱型２側に押圧する。これにより、柱材３１は、ベースプレート３３を介して、内側アンカーボルト２７及び外側アンカーボルト２９に対して固定され、柱型２の上方に立設される。柱脚構造１は、柱材３１が柱型２の基礎コンクリート２１内に埋設されることなく、露出していることから、「露出型柱脚構造」と称される。
【００３８】
次に、図２から図６を参照しながら、柱脚構造１について詳細に説明する。図２は、柱脚構造１を示す側面図である。図３は、図２のＩＩＩ−ＩＩＩ断面を示す断面図である。図４は、図２のＩＶ−ＩＶ断面を示す断面図である。図２から図４は、理解を容易にするため、一部の部材を断面視したり、透視したりして、柱脚構造１を模式的に示している。図５は、座金５ａ，５ｂを示す斜視図であり、座金５ａ，５ｂを２方向から示している。図６（Ａ）は、流入規制部材６を示す平面図であり、図６（Ｂ）は、図６（Ａ）のＶＩＢ−ＶＩＢ断面を示す断面図である。
【００３９】
図２及び図４に示されるように、柱型２の基礎コンクリート２１内には、立上筋２３と、フープ筋２５と、内側アンカーボルト２７と、外側アンカーボルト２９と、が埋設されている。
【００４０】
１２本の立上筋２３は、水平方向に互いに間隔を空け、基礎コンクリート２１の外形に沿って配置されている。各立上筋２３は、鉛直方向に延びている。フープ筋２５は、立上筋２３を囲んでおり、鉛直方向に互いに間隔を空けて配置されている。立上筋２３及びフープ筋２５の数は、支持する建築物等に応じて適宜設定される。
【００４１】
内側アンカーボルト２７及び外側アンカーボルト２９は、立上筋２３及びフープ筋２５よりも基礎コンクリート２１の中央部側に配置されている。内側アンカーボルト２７及び外側アンカーボルト２９は、いずれも鉛直方向に延びるように配置されている。外側アンカーボルト２９は、内側アンカーボルト２７よりも建築物の外方に設けられる。図２に示されるように、内側アンカーボルト２７及び外側アンカーボルト２９は、それらの下部２７ａ，２９ａが基礎コンクリート２１内に埋設され、上部２７ｂ，２９ｂが基礎コンクリート２１の上面２１ａから突出している。上部２７ｂ，２９ｂの外周面には雄ねじが形成されている。
【００４２】
前述したように、基礎コンクリート２１の上面２１ａと、ベースプレート３３の下面３３ｂとの間には、グラウト４が設けられている。グラウト４は、流動性を有するモルタルを、基礎コンクリート２１の上面２１ａと、ベースプレート３３の下面３３ｂとの間に注入し、固化させることにより形成されている。当該モルタルは流動性に優れ、固化に伴う収縮量が比較的小さいものが用いられる。グラウト４の圧縮強度（例えば、４０〜６０Ｎ／ｍｍ２）は、基礎コンクリート２１の圧縮強度（例えば、１８〜３０Ｎ／ｍｍ２）よりも大きい。
【００４３】
図２に示されるように、グラウト４内には流入規制部材６が埋設されている。詳細には、流入規制部材６は、固化したグラウト４内に埋設されており、流入規制部材６の下部はグラウト４により覆われている。図６に示されるように、流入規制部材６は、遮蔽板６１と、ばね６７と、を有している。
【００４４】
遮蔽板６１は、円板形状を呈しており、その直径は外側貫通孔３７の直径よりも大きい。遮蔽板６１の中央部には、遮蔽板貫通孔６３が形成されている。遮蔽板貫通孔６３は、遮蔽板６１を厚さ方向に貫通しており、その直径は外側アンカーボルト２９の直径よりもやや大きい。遮蔽板貫通孔６３の内部には、ブラシ６５が設けられている。ブラシ６５は、本発明に係る通気部の一例である。ブラシ６５は、遮蔽板貫通孔６３の内周面から、遮蔽板貫通孔６３の中央部に向かって延びる繊維状の部材である。
【００４５】
ばね６７は、本発明に係る圧接部材の一例である。ばね６７は、金属材料により形成されたつるまきばねであり、遮蔽板６１の下面に固定されている。ばね６７は、鉛直方向に伸縮し、伸縮量に応じた反力を発生させる。
【００４６】
内側アンカーボルト２７が挿通する座金５ａと、外側アンカーボルト２９が挿通する座金５ｂとは、互いに同一形状を呈している。図５に示されるように、座金５ａ，５ｂは座金本体５１を有している。座金本体５１の下面側には、凹部５３が形成されている。また、座金本体５１には、上面側から凹部５３まで貫通する第１貫通孔５５及び第２貫通孔５７が形成されている。第１貫通孔５５の直径は、第２貫通孔５７の直径や、内側アンカーボルト２７及び外側アンカーボルト２９の直径よりも大きい。
【００４７】
次に、図７から図９を参照しながら、柱脚構造１の製造工程について説明する。図７及び図８は、柱脚構造１の製造工程を示す説明図である。図７は、当該工程の一部を示しており、図８は、当該工程の残部を示している。図９は、柱脚構造１を示す側面図であり、外側貫通孔３７の周辺を拡大して示している。
【００４８】
［スペーサ配置工程］
まず、図７（Ａ）に示されるスペーサ配置工程において、柱型２の基礎コンクリート２１の上面２１ａに、スペーサ４１が配置される。スペーサ４１は、モルタルにより形成され、例えば３０ｍｍの厚みを有する円板形状を呈している。当該モルタルは、グラウト４の形成に用いられるものと同種である。スペーサ４１の直径は、ベースプレート３３の一辺の長さよりも小さい。スペーサ４１は、内側アンカーボルト２７及び外側アンカーボルト２９よりも、基礎コンクリート２１の中央部側に配置される。
【００４９】
［規制部材配置工程］
次に、図７（Ｂ）に示される規制部材配置工程において、柱型２の基礎コンクリート２１の上面２１ａに、流入規制部材６が配置される。流入規制部材６は、遮蔽板６１の遮蔽板貫通孔６３及びばね６７に外側アンカーボルト２９を挿通させて配置される。流入規制部材６のブラシ６５は、遮蔽板貫通孔６３の内側面と、外側アンカーボルト２９との間に配置される。ばね６７は基礎コンクリート２１の上面２１ａと当接し、遮蔽板６１はスペーサ４１の上面４１ａよりも上方に配置される。
【００５０】
［立設工程］
次に、図７（Ｃ）に示される立設工程において、柱型２の上方に柱材３１が配置される。このとき、柱材３１は、ベースプレート３３の下面３３ｂが、スペーサ４１の上面４１ａと当接するまで下方に移動する。これにより、ベースプレート３３の下面３３ｂと、基礎コンクリート２１の上面２１ａの上面とは、スペーサ４１を挟んで対向し、両者の間に空間Ｃが形成される。また、ベースプレート３３の内側貫通孔３５に内側アンカーボルト２７が挿通し、外側貫通孔３７に外側アンカーボルト２９が挿通し、それぞれの上部２７ｂ，２９ｂがベースプレート３３よりも上方に配置される。
【００５１】
また、ベースプレート３３が下方に移動すると、その下面３３ｂが流入規制部材６の遮蔽板６１を下方に押圧する。これにより、流入規制部材６のばね６７が圧縮されて反力を発生させ、遮蔽板６１を押圧してベースプレート３３の下面３３ｂに圧接させる。この遮蔽板６１により、外側貫通孔３７が下方から遮蔽される。
【００５２】
［固定工程］
次に、図８（Ａ）に示される固定工程において、ベースプレート３３が、ナット９１により固定される。具体的には、まず、座金５ａ，５ｂの第１貫通孔５５に、内側アンカーボルト２７の上部２７ｂ、及び、外側アンカーボルト２９の上部２９ｂが挿通し、ベースプレート３３の上面３３ａに座金５ａ，５ｂが配置される。凹部５３により、座金５ａ，５ｂと、ベースプレート３３の上面３３ａとの間に空間が形成される。
【００５３】
さらに、内側アンカーボルト２７の上部２７ｂ、及び、外側アンカーボルト２９の上部２９ｂのそれぞれに、ナット９１が２つずつ螺合する。下方のナット９１は、座金５ａ，５ｂを介してベースプレート３３を下方に押圧する。これにより、ベースプレート３３がスペーサ４１に押し付けられ、柱型２に対して固定される。上方のナット９１は、下方のナット９１を押圧し、その緩みを抑制する。
【００５４】
［充填工程］
次に、図８（Ｂ）に示される充填工程において、空間Ｃは型枠９３により包囲されるとともに、注入器９５から座金５ａの第２貫通孔５７に未固化のグラウト４が注入される。注入されたグラウト４は、座金５ａと、ベースプレート３３の上面３３ａとの間に形成された空間を流れ、ベースプレート３３の内側貫通孔３５を通過して、空間Ｃに流入する。
【００５５】
空間Ｃに流入したグラウトは、破線の矢印で示されるように、建築物の外方に向かって流れる。これにより、空間Ｃに配置されているスペーサ４１、内側アンカーボルト２７及び外側アンカーボルト２９が、グラウト４内に埋設される。
【００５６】
このとき、空間Ｃの空気も、空間Ｃを流れるグラウトに加圧されることにより、建築物の外方に向かって流れる。空気は、流入規制部材６のばね６７の内側に流入し、ブラシ６５（図６参照）を通過する。当該空気は、さらに、ベースプレート３３の外側貫通孔３７を通過して、座金５ｂと、ベースプレート３３の上面３３ａとの間に形成された空間に流入し、第２貫通孔５７から排出される。
【００５７】
一方、未固化のグラウト４の、ベースプレート３３の外側貫通孔３７への流入は、遮蔽板６１及びブラシ６５により規制される。つまり、ブラシ６５は、空気を通過させるものの、グラウト４の通過は妨げる。このため、空間Ｃにグラウト４が充填されると、注入器９５からのグラウト４の注入が困難になる。
【００５８】
［完成］
充填工程の終了後、グラウト４を所定時間養生し、固化させる。グラウト４が固化した後、図８（Ｃ）に示されるように型枠９３を除去することにより、柱脚構造１が完成する。
【００５９】
ベースプレート３３の内側貫通孔３５の内側面と内側アンカーボルト２７との間には、固化したグラウトである内側グラウト４３が設けられる。内側グラウト４３は、環状を呈しており、内側アンカーボルト２７を囲んでいる。内側アンカーボルト２７は、この内側グラウト４３によりベースプレート３３に対して固定される。
【００６０】
一方、ベースプレート３３の外側貫通孔３７の周辺では、図９に示されるように、遮蔽板６１よりも上方にはグラウト４が設けられていない。外側貫通孔３７の内側面と外側アンカーボルト２９との間には、グラウト４が設けられない空隙３９が形成されている。
【００６１】
次に、柱脚構造１の作用及び効果について説明する。
【００６２】
柱脚構造１の構成によれば、地震等により建築物が加振されると、柱材３１から、ベースプレート３３及び内側グラウト４３を介して、内側アンカーボルト２７に外力が作用する。ベースプレート３３が内側グラウト４３を介して内側アンカーボルト２７から反力を受けることより、ベースプレート３３の移動が抑制される。
【００６３】
一方、外側貫通孔３７の内側面と外側アンカーボルト２９との間には、グラウト４が設けられない空隙３９が形成されている。このため、ベースプレート３３が所定量移動して外側貫通孔３７と外側アンカーボルト２９が当接するまで、外側アンカーボルト２９への外力の作用が抑制される。この結果、基礎コンクリート２１のコーン状破壊を抑制することができる。
【００６４】
内側貫通孔３５の内側面と内側アンカーボルト２７との間に内側グラウト４３が設けられている。この構成によれば、基礎コンクリート２１の上面２１ａとベースプレート３３の下面３３ｂとの間の空間Ｃにグラウト４を設ける際に、当該グラウト４を内側貫通孔３５の内側面と内側アンカーボルト２７との間に流入させることができる。つまり、基礎コンクリート２１の上面２１ａとベースプレート３３の下面３３ｂとの間の空間Ｃへのグラウト４の配置と、ベースプレート３３に対する内側アンカーボルト２７の固定と、を同一工程で行うことが可能になる。
【００６５】
外側貫通孔３７の周辺に、未固化のグラウト４の外側貫通孔３７への流入を規制する流入規制部材６が配置されていている。この構成によれば、基礎コンクリート２１の上面２１ａとベースプレート３３の下面３３ｂとの間の空間Ｃに未固化のグラウト４を注入する際に、当該グラウト４が外側貫通孔３７の内側面と外側アンカーボルト２９との間に流入することを、流入規制部材６により規制することができる。この結果、空隙３９を確実に形成することが可能になる。
【００６６】
流入規制部材６は、ベースプレート３３の下方に配置される遮蔽板６１を有し、遮蔽板６１は、外側貫通孔３７を遮蔽している。この構成によれば、外側貫通孔３７の内側面と外側アンカーボルト２９との間へのグラウト４の流入を、遮蔽板６１により規制することができる。この結果、空隙３９を確実に形成することができる。
【００６７】
流入規制部材６は、遮蔽板６１をベースプレート３３の下面３３ｂに圧接させるばね６７を有している。この構成によれば、外側貫通孔３７を遮蔽板６１により確実に遮蔽し、外側貫通孔３７の内側面と外側アンカーボルト２９との間へのグラウト４の流入を規制することができる。この結果、空隙３９を確実に形成することができる。
【００６８】
遮蔽板６１は、外側アンカーボルト２９を挿通させる遮蔽板貫通孔６３が形成され、遮蔽板貫通孔６３の内部に、グラウト４の通過を規制する一方で空気の通過を許可するブラシ６５を有していてもよい。この構成によれば、基礎コンクリート２１の上面２１ａとベースプレート３３の下面３３ｂとの間の空間Ｃに未固化のグラウト４を注入する際に、空間Ｃからブラシ６５を介して空気を排出することができる。この結果、空間Ｃへのグラウトの充填を妨げることなく、空隙３９を形成することができる。
【００６９】
規制部材配置工程において、外側貫通孔３７を遮蔽する遮蔽板６１をベースプレート３３の下方に配置してもよい。この製造方法によれば、外側貫通孔３７の内側面と外側アンカーボルト２９との間へのグラウト４の流入を遮蔽板６１により規制することができる。この結果、空隙３９を確実に形成することができる。
【００７０】
次に、本発明に係る流入規制部材の他の実施形態について、図１０を参照しながら説明する。図１０は、他の実施形態に係る流入規制部材６Ａを示す斜視図である。
【００７１】
流入規制部材６Ａは、その圧接部材が、前述した流入規制部材６のものと異なるが、流入規制部材６と同様にグラウト４内に埋設される。流入規制部材６Ａのうち、流入規制部材６と同一の構成については同一の符号を付して、説明を適宜省略する。
【００７２】
流入規制部材６Ａは、圧接部材として３つの脚部６９を有している。３つの脚部６９は互いに離間しており、遮蔽板６１から下方に延びるように形成されている。脚部６９は弾性を有し、外力を受けて開く（つまり、互いに離間する）ように変形することにより反力を発生させる。
【００７３】
流入規制部材６Ａを用いた不図示の露出型柱脚構造では、前述した規制部材配置工程（図７（Ｂ）参照）において、流入規制部材６に代えて流入規制部材６Ａが配置される。脚部６９は基礎コンクリート２１の上面２１ａと当接し、遮蔽板６１はスペーサ４１の上面４１ａよりも上方に配置される。
【００７４】
次の立設工程（図７（Ｃ）参照）において、ベースプレート３３が下方に移動すると、その下面３３ｂが流入規制部材６Ａの遮蔽板６１を下方に押圧する。これにより、流入規制部材６Ａの脚部６９が開いて反力を発生させ、遮蔽板６１を押圧してベースプレート３３の下面３３ｂに圧接させる。この遮蔽板６１により、外側貫通孔３７が下方から遮蔽される。
【００７５】
次に、本発明に係る流入規制部材のさらに他の実施形態について、図１１を参照しながら説明する。図１１は、他の実施形態に係る流入規制部材６Ｂを備えた露出型柱脚構造１Ｂを示す側面図である。
【００７６】
流入規制部材６Ｂは、可撓性及び通気性を有する部材である。流入規制部材６Ｂとして、例えば、グラスウール等の繊維状物質や、スポンジ等の多孔質体を用いることができる。
【００７７】
流入規制部材６Ｂを用いた露出型柱脚構造１Ｂでは、前述した規制部材配置工程（図７（Ｂ）参照）において、流入規制部材６に代えて流入規制部材６Ｂが配置される。流入規制部材６Ｂは、空隙３９に配置される。
【００７８】
この構成によれば、外側貫通孔３７の内側面と外側アンカーボルト２９との間へのグラウト４の流入を、そこに配置した流入規制部材６Ｂにより、確実に規制することができる。また、基礎コンクリート２１の上面２１ａとベースプレート３３の下面３３ｂとの間の空間Ｃに未固化のグラウト４を注入する際に、当該空間Ｃから流入規制部材６Ｂを介して空気を排出することができる。この結果、当該空間Ｃへのグラウトの充填を妨げることなく、空隙３９を形成することができる。
【００７９】
また、ベースプレート３３が移動した際に、流入規制部材６Ｂが撓むことにより、外側アンカーボルト２９への外力の作用が抑制される。この結果、基礎コンクリート２１のコーン状破壊を抑制することができる。
【００８０】
次に、本発明に係る流入規制部材のさらに他の実施形態について、図１２及び図１３を参照しながら説明する。図１２は、他の実施形態に係る流入規制部材である座金６Ｃを示す斜視図であり、座金６Ｃを２方向から示している。図１３は、座金６Ｃを備えた露出型柱脚構造１Ｃを示す側面図である。
【００８１】
座金６Ｃは、外側アンカーボルト２９が挿通する座金５ｂ（図２等参照）に代えて用いられる。一方、内側アンカーボルト２７が挿通する座金５ａ（図２等参照）は、前述した実施形態と同様に用いられる。座金６Ｃの構成要素のうち、座金５ａ，５ｂの構成要素と同一のものには同一の符号を付して、重複する説明は省略する。
【００８２】
図１２に示されるように、座金６Ｃは、座金本体５１に第１貫通孔５５が形成されている。座金６Ｃの第１貫通孔５５は、本発明に係る座金貫通孔の一例である。一方、座金本体５１には第２貫通孔５７（図５参照）が形成されていない。座金６Ｃは、第２貫通孔５７に代えて、通気規制部５９を有している。
【００８３】
図１３に示されるように、座金６Ｃは、第１貫通孔５５に外側アンカーボルト２９を挿通させ、ベースプレート３３の上面３３ａに配置される。さらに、外側アンカーボルト２９にナット９１が螺合することにより、第１貫通孔５５の内側面と外側アンカーボルト２９との間の空隙は、ナット９１により上方から遮蔽される。
【００８４】
座金６Ｃと、ベースプレート３３の上面３３ａとの間に形成される空間は、通気規制部５９が設けられたことにより、その上部が遮蔽されたものとなる。すなわち、当該空間に空気が滞留し易くなる。
【００８５】
この構成によれば、座金６Ｃと、ベースプレート３３の上面３３ａとの間に形成される空間に空気が滞留する。外側貫通孔３７の上方における空気が滞留することにより、外側貫通孔３７を介した空気の排出が規制される。このような規制を適切に行うことにより、基礎コンクリート２１の上面２１ａとベースプレート３３の下面３３ｂとの間の空間Ｃに未固化のグラウト４を注入する際に、外側貫通孔３７の内側面と外側アンカーボルト２９との間へのグラウト４の流入を規制することができる。この結果、空隙３９を確実に形成することが可能になる。
【００８６】
座金６Ｃを流入規制部材として用いる場合、前述した製造工程のうち、図７（Ｂ）に示した工程を省略することができる。また、固定工程として図８（Ａ）に示した工程が、規制部材配置工程を兼ねるものとなる。
【００８７】
以上、具体例を参照しつつ本発明の実施の形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズなどは、例示したものに限定されず、適宜変更することができる。
【００８８】
例えば、前述した流入規制部材６，６Ａは、通気部としてブラシ６５を有している。しかしながら、本発明に係る通気部は、この態様に限定されない。通気部は、例えば、遮蔽板貫通孔の内周面に形成されるスリットであってもよい。
【００８９】
例えば、前述した座金６Ｃは、座金本体５１に第２貫通孔５７が形成されないことで、通気規制部５９が設けられている。しかしながら、本発明に係る通気規制部は、この態様に限定されない。通気規制部は、例えば、座金本体５１に形成された第２貫通孔５７を、栓で閉塞することにより設けられていてもよい。
【００９０】
例えば、前述した実施形態では、内側アンカーボルト２７は、内側グラウト４３によりベースプレート３３に対して固定されている。しかしながら、本発明に係る、ベースプレートに対する内側アンカーボルトの固定は、この態様に限定されない。例えば、樹脂材料や金属材料で形成されたフィラー部材を内側貫通孔の内側面と内側アンカーボルトとの間に配置することにより、ベースプレートに対して内側アンカーボルトを固定してもよい。また、内側アンカーボルトが挿通する座金をベースプレートに対して溶接等することにより、ベースプレートに対して内側アンカーボルトを固定してもよい。
【００９１】
例えば、前述した柱脚構造１の製造方法では、スペーサ配置工程（図７（Ａ）参照）に続く工程として、規制部材配置工程（図７（Ａ）参照）を有している。しかしながら、本発明に係る露出型柱脚構造の製造方法は、この態様に限定されない。規制部材配置工程は、例えばスペーサ配置工程に先駆けて行われる工程であってもよい。また、流入規制部材の配置を、スペーサの配置と同時に行ってもよい。
【００９２】
例えば、前述した柱脚構造１では、それぞれ２本の内側アンカーボルト２７及び外側アンカーボルト２９を備えている。しかしながら、本発明に係る露出型柱脚構造は、この態様に限定されない。例えば、本発明に係る露出型柱脚構造は、それぞれ３本以上の内側アンカーボルト及び外側アンカーボルトを備えていてもよい。
【符号の説明】
【００９３】
１，１Ｂ，１Ｃ：露出型柱脚構造
２：柱型
２１：基礎コンクリート
２１ａ：（基礎コンクリートの）上面
２７：内側アンカーボルト
２７ａ：（内側アンカーボルトの）下部
２７ｂ：（内側アンカーボルトの）上部
２９：外側アンカーボルト
２９ａ：（外側アンカーボルトの）下部
２９ｂ：（外側アンカーボルトの）上部
３１：柱材
３３：ベースプレート
３３ａ：（ベースプレートの）上面
３３ｂ：（ベースプレートの）下面
３５：内側貫通孔
３７：外側貫通孔
３９：空隙
４：グラウト
４１：スペーサ
４３：内側グラウト
５ａ，５ｂ，６Ｃ：座金
５１：座金本体
５９：通気規制部
６，６Ａ，６Ｂ：流入規制部材
６Ｃ：座金（流入規制部材）
６１：遮蔽板
６３：遮蔽板貫通孔
６５：ブラシ（通気部）
６７：ばね（当接部材）
６９：脚部（当接部材）
【図１】
2019124064.tif 000003
【図２】
2019124064.tif 000004
【図３】
2019124064.tif 000005
【図４】
2019124064.tif 000006
【図５】
2019124064.tif 000007
【図６】
2019124064.tif 000008
【図７】
2019124064.tif 000009
【図８】
2019124064.tif 000010
【図９】
2019124064.tif 000011
【図１０】
2019124064.tif 000012
【図１１】
2019124064.tif 000013
【図１２】
2019124064.tif 000014
【図１３】
2019124064.tif 000015